(57)【要約】【目的】遊戯盤の周縁部にルータ加工機によって切欠部を形成する際に発生するバリを無くしてこのバリから発生する木屑による化粧シートの損傷を防止し、併せて安全に取扱えるようにした遊技盤を提供する。【構成】遊戯盤１０の周縁部１０ａにルータ加工機のエンドミル１４を当てて切欠部１１，１２，１３を形成するに当って、該切欠部の切削開始端の隅角部分１１ａ，１２ａ，１３ａと切削終了端の隅角部分１１ｂ，１２ｂ，１３ｂの一方若しくは双方を孤面若しくは円弧面形に形成し、バリの発生を抑えてなるパチンコ機の遊戯盤。【選択図】        図３
2005278761.tif 000002
【特許請求の範囲】
【請求項１】
周縁部にパチンコ機本体枠側に備える設備との干渉を回避する切欠部を形成してなるパチンコ機の遊技盤において、前記切欠部は前記周縁部を切削することによって形成される切欠凹部面と遊技盤の周縁部端面とが衝き合って形成される隅角部分を孤面形若しくは円弧面形に切削形成してなることを特徴としたパチンコ機の遊技盤。
【発明の詳細な説明】
【技術分野】
【０００１】
本発明は、パチンコ機の遊技盤に関する。
【背景技術】
【０００２】
市販されるパチンコ機の多くは、パチンコ機の本体枠に対して遊技盤を着脱自由に取付け、必要に応じて遊技盤を自由に交換できるようにした所謂分離式のパチンコ機である。本発明が提案する遊技盤は、この分離式パチンコ機における遊技盤（以下、単に遊技盤という。）であり、改善された遊技盤に関するものである。
【０００３】
通常、遊技盤は複数枚のベニヤ単板を繊維方向を９０°交互に変えて積層し、一体に接合して形成した合板を基材にしており、その表面側に模様、色彩等を施したプラスチック製の化粧シートを貼着し、全体の板厚が略１９ｍｍ程になる板材からなっている。
この遊技盤には前記化粧シートの貼着作業ののち、各種の入賞装置や飾り部品類を取付けるため貫通孔を形成し、また周縁部の所定位置には遊技機前面の受皿に賞球を放出誘導する誘導樋を通すための、或いは遊技盤を前面枠に装着固定する取付装置を避けるための切欠部を形成することになる。
【０００４】
入賞装置や飾り部品類を取付けるために形成される上記貫通孔は、化粧シートに施される模様、色彩等と上記入賞装置類との一体性を図るため化粧シートを貫いて穿孔処理されるのが普通であり、これに併せて周縁部に形成される切欠部も同時に切削加工されるものとなっている。
言うまでもなく、ここに挙げる貫通孔や切欠部は、従来から一般に遊技盤の製造において形成されている貫通孔であり、切欠部である。これらを例示するならば特許文献１或いは２に挙げられるものがある。
【特許文献１】特開平１０−９９４８９号公報の発明の詳細な説明の項の段落０００２〜０００４、図面の図２、図３。
【特許文献２】特許第２９４２５３７号公報の図面の図２、図３及び図８。
【０００５】
上記遊技盤に対する部品取付のための貫通孔や周縁部に形成される切欠部は、特許文献１に説明されるようにルータ加工機によって切削加工されるのが一般的であり、回転歯（エンドミル）の押付けによって予め定める形状に切削し、貫通孔については孔の形状に、また周縁部に形成する切欠部については切欠部の一端部から回転歯を侵入させ、所定の形状に切削進行させたのち他端部から抜き出して遊技盤の一部を切り落し、形成するものとなっている。
【発明の開示】
【発明が解決しようとする課題】
【０００６】
このルータ加工機による貫通孔乃至切欠部の形成における一つの問題は、切欠部の形成において生ずる端部のバリの発生である。
貫通孔の形成においては、形成する孔の縁に沿ってエンドミルが完全に一周するため、エンドミルが侵入する開始端も、抜き出る終末端も一つに連続して端部としての形跡を残さないので、端部が原因するバリの発生がないが、周縁部に切り欠いて形成される切欠部についてはエンドミルが遊技盤の周縁部に対して切り込みながら侵入することと、抜け出すことから切欠部の形成と共に周縁部に隅角部分を形成することになりバリを発生させることになる。
【０００７】
隅角部分におけるバリの発生は、遊技盤の基材が合板であること、そしてエンドミルの回転切削によって削り取ることにある。エンドミルが切り込むとき、或いは抜け出すとき遊技盤との接触圧がその時点で小さくなり、切り取りが不完全になることによって、つまり、切り残しが出ることによって発生するのである。
この端部に発生するバリは、指や手に刺り作業者の安全を害するばかりでなく、ルータ加工機による切削加工工程の後に入賞装置等の部品取付けの工程に進む際、バリの一部が端部から脱落して木屑となって化粧シート上に乗り、或いは付着して遊技盤を次の工程に搬送のため重ね合せに積み上げたとき、この木屑が他の遊技盤との間に入り込んで化粧シートの表面を傷付ける問題がある。
【０００８】
本発明は、この様な事情に鑑みルータ加工機によって遊技盤に切削加工を施す際に、特に遊技盤の周縁部に切欠部を形成する際に、この切欠部の端部に発生するバリを切削加工の中で除去できる構造にしてバリの発生から生ずる前記問題点を未然に解消するようにした改善された遊技盤を提供しようとするものである。
【課題を解決するための手段】
【０００９】
本発明は、上述の問題を解決するため、遊技盤の周縁部に切欠部をルータ加工機によって切欠き形成する際に、遊技盤の周縁部に対して、更に詳しくは周縁部の端面（木口面部分）に対してエンドミルの切り込みによって形成される隅角部分と、更にこのエンドミルが切削を終えて抜け出すことによって形成される隅角部分について、その尖鋭な角部分（頂点）を円弧面形に切削加工し、これによりバリの発生を回避し、ルータ加工機による切削加工後の工程にバリ及びこのバリから生ずる木屑を運び込まないようにした遊技盤を提供することにある。
【００１０】
更に本発明を詳述するならば、周縁部にパチンコ機本体枠側に備える設備との干渉を回避する切欠部を形成してなるパチンコ機の遊技盤において、前記切欠部は前記周縁部を切削することによって形成される切欠凹部面と遊技盤の周縁部端面とが衝き合って形成される隅角部分についてこれを孤面形若しくは円弧面形に切削形成してなることを特徴としたパチンコ機の遊技盤を提供することにある。
【００１１】
遊技盤の周縁部に切欠部をルータ加工機によって切削形成する場合は、前述したように周縁部の端面に対してエンドミルの回転軸を直交する向きで接近させ、そのまゝエンドミル周面の歯を押し当てることによって遊技盤の一部を削り取り、所定の形状をなす切欠部を形成することになるが、このときバリが発生することになる。
【００１２】
隅角部分に発生するバリは、上記エンドミルの回転方向によって多少の相違が見られることになる。
図１に示したようにエンドミル１の回転方向を時計方向にして回転方向に沿って遊技盤２に対して切り込み切欠部７を形成した場合、侵入口側（開始端側）の隅角部分３においてはエンドミルの押し付けが充分であることから削り残り、つまりバリの発生がないが、出口側（終了端側）の隅角部分４にはエンドミル１の回転によって引き出されるようにバリ５が発生する。
尚、図中矢符６はこの切削加工において定位置に設置されるエンドミルに対し、遊技盤２の切削のための移動方向を表示したものである。
【００１３】
また、図２は上記図１とは逆に前記出口側の隅角部分４を開始端にして時計方向に回転するエンドミル１を押し当て切欠部７を形成する場合であり、この場合は上記開始端側の隅角部分４にバリ８が発生することになる。尚、矢符９は前記同様に遊技盤２の移動方向を示す。
【００１４】
上記図１，２に示すルータ加工機による切欠部の形成は、従来の切欠部の形態を示したものでもあるが、回転するエンドミルにより切削加工する場合は回転方向の相違によって隅角部分のいずれかに切り残りによるバリが発生することになる。
【００１５】
本発明は、上記ルータ加工機によって切欠部を形成する遊技盤にあって、切欠部を切削形成することによってできる隅角部分を孤面若しくは円弧面形に切削形成し、これにより従来尖鋭な隅角部分になることによって生ずる切り残り部分の発生をなくし、バリの発生を未然に解消したことにある。
【００１６】
上記隅角部分の孤面若しくは円弧面形は、切欠部の形成に当って開始端側においてはエンドミルの切込み侵入を遊技盤周縁部の端面に対して初期において並行する方向から弧を描くように侵入させることによって形成することができる。
そして、終末端側においてはエンドミルが遊技盤から抜け出る直前において弧状に移動させ、最終段階で周縁部の端面に沿い略並行する方向に抜き離すようにすると、隅角部分の頂部が孤面若しくは円弧面形となり、バリの発生が回避される。
【００１７】
尚、切欠部の両端部に形成される隅角部分の孤面若しくは円弧面形は、遊技盤の基材となる合板の木質によって多少異なることになるが、周縁部の端面に対してエンドミルの侵入が略直角に入り、隅角部分の外形が略９０°角の隅角を形成する場合、少なくとも孤の直径が３ｍｍ程の曲面を呈するものであれば本発明の効果を奏することができる。反面、この弧面を大きくする場合、形成する切欠部の形状を損なわない限り大きな曲面とすることができる。要するに、最終的に切欠部形成に当ってエンドミルの侵入と、抜け出しが周縁部端面に対して略並行する状態で侵入し、又抜け出すものであればよいことになる。
【発明の効果】
【００１８】
本発明は、上述のようにルータ加工機によって遊技盤の周縁部に切欠部を形成するに当り、切欠部両端の隅角部分を孤面若しくは円弧面形にすることにより、ルータのエンドミルの切込み侵入時に、又抜け出し時に切り残りを発生させることがないためバリの発生がなく、従ってこのバリによって作業者が指や手に損傷を受けることがなく安全に作業することができることになる。
【００１９】
そして同時に、従来はバリそのものが不確実な切り残り状態にあることから次の工程に移動する間に落下して遊技盤の化粧シート表面に付着し、遊技盤相互を積層させたときに化粧シートの表面を損傷する危険があったが、本発明ではバリの発生が抑えられることからこの危険を確実に回避することができ、良品を提供できる利点がある。
勿論、本発明は切欠部の形成の際、ルータのエンドミル若しくは遊技盤の移動を周縁部の端部に対して弧状もしくは円弧状に侵入させ、また切欠部形成後に抜き出す際に同じく弧状もしくは円弧状に移動させ抜き出すことによって両隅角部分を孤面形若しくは円弧面形に形成することができるので、従来に比較して僅かな作業工程の変更で実施することができ、製造効率を妨げることはない。
【発明を実施するための最良の形態】
【００２０】
次に、本発明を図面に示す実施の形態に従って説明することにする。図３は本発明に係る遊技盤の概略を説明する正面図であり、図４は遊技盤の部分の拡大正面図である。
図面において、符号１０は周縁部に所定の切欠部を形成した遊技盤であり、１１はこの遊技盤１０の左上隅部に形成した配線を通すための切欠部、１２は左下隅部に形成した賞球放出用の樋を通すための切欠部であり、１３は右上隅部に形成した遊技盤１０を図示しない本体枠（ここでは前面枠）に固定するための取付装置を通すための切欠部である。
【００２１】
遊技盤１０は先に説明した従来の遊技盤と同様の複数枚のベニヤ板を積層し形成した合板製の基板と、その表面にプラスチック製の化粧シートを一体に貼着したものからなっており、各切欠部１１，１２，１３はこの遊技盤１０の周縁部をルータ加工機のエンドミル１４で切削することによって形成される。
各切欠部１１，１２，１３は、それぞれの目的に基づき異なる形状に切削形成されることになるが、各切欠部において共通することはそれぞれの切欠部の端部、つまりエンドミル１４が切込み侵入することによって形成される隅角部分１１ａ，１２ａ，１３ａと、エンドミル１４が抜け出す隅角部分１１ｂ，１２ｂ，１３ｂのそれぞれが弧状をなし、尖鋭な頂部が削り取られることである。
【００２２】
図４は、切欠部１２を代表してその両端の隅角部分１２ａ，１２ｂが孤状に、ここでは実質的に円弧状をなすように形成されるのを拡大して示している。
この図面において矢符Ａは定位置に固定されるルータ加工機のエンドミル１４に対し、遊技盤１０の移動方向を示しており、切削開始端となる隅角部分１２ａにおいてはエンドミル１４は左側の周縁部１０ａに沿って並行した状態で切削を開始し、その直後に隅角部分１２ａにおいて小円を描きながら直角方向に切込むようにして形成してある。そして、一定幅切込みを進めたのち、円弧を描いて外に向けて方向を変え、終末端となる隅角部分１２ｂを形成している。そして更に、再びエンドミル１４を下側の周縁部１０ｂに向けて小円を描くようにして回り込ませ、該隅角部分１２ｂの頂部を落し、該部分を円弧状に形成している。
【００２３】
更に、この実施例では隅角部分１２ｂを円弧状に形成すると共に、上記下側の周縁部１０ｂに回り込ませたエンドミル１４をこの周縁部を削りながら並行状に移動させ浅く切り取るようにして引き取り、遊戯盤の縁部端面から離すようにして形成している。
【００２４】
ところで、上記隅角部分１２ａ，１２ｂにおける円弧状は半径３ｍｍのものにしてあり、この円弧は遊技盤１０の板厚の全体に亘って形成することから実質的には隅角部分が円弧面形を呈するものとなる。尚、図面の符号１５は遊戯盤１０に開設した基準孔であり、ルータ加工機の取付台に遊戯盤を固定するとき台の突起を嵌合し定位置に止めて切削加工の正確を期している。
【００２５】
以上の如くして形成される各切欠部１１，１２，１３は各端部の隅角部分においてエンドミル１４を孤状若しくは円弧状に移動させ、遊技盤の周縁部を劃す端面と、切込みによって形成される切欠凹面部１１ｃ，１２ｃ，１３ｃとが交わる頂部について孤面若しくは円弧面形に切取られることからバリの発生がなく、平滑な面として仕上ることになる。
つまり、ここにおいてはエンドミルが遊技盤に対して弧を描いて切込み、また引き抜かれることから、遊技盤に対する切削のための圧接状態が急激に解放され、変化することがないので、切削途中の繊維が切り残されることがなく、バリの発生が有効に回避されることになるのである。
【図面の簡単な説明】
【００２６】
【図１】従来の遊技盤における切欠部の形成を示す部分正面図。
【図２】従来の遊技盤における切欠部の形成を示す部分正面図。
【図３】本発明に係る遊技盤の正面図。
【図４】本発明に係る遊技盤の部分の拡大正面図である。
【符号の説明】
【００２７】
１０                        遊技盤
１０ａ，１０ｂ              遊技盤の周縁部
１１，１２，１３            切欠部
１１ａ，１２ａ，１３ａ      切欠部の開始端側の隅角部分          
１１ｂ，１２ｂ，１３ｂ      切欠部の終末端側の隅角部分          
１４                        ルータ加工機のエンドミル
【図１】
2005278761.tif 000003
【図２】
2005278761.tif 000004
【図３】
2005278761.tif 000005
【図４】
2005278761.tif 000006